(57)【要約】　　　（修正有）【課題】シャワー用のホース収納箱を上方に配し、ホースを上方より引き出してシャワーが使えるようにした、安全で使い易いホース収納式シャワー装置の提供。【解決手段】支柱の上部に常にホースを引き上げる力を仂かせた機構を有するホース収納箱１を配し、中間に支柱内下方に設置した水圧用シリンダー上部のブランケットに固定されたスライダー６を配し、それにフック５を取付けホース収納箱下部より引き出されるホース２の先端に取付けられたシャワーヘッド４をホースプーリー３を介して掛留めし、支柱下部には水圧シリンダーの水路切替弁８を装備し、ハンドル９を反時計に廻して上昇に合わせるとシリンダー内に注水されその水圧によりシリンダー上昇即ちスライダー６が上昇する。ハンドル９を時計方向に廻して図の止の位置に合わせるとシリンダー停止、更に下降の位置に合わせるとシリンダー内の水が排水されながら下降する。【選択図】　図１
2004057792.tif 000002
【特許請求の範囲】
【請求項１】
浴室の壁面に支柱が上下方向に延在して固定され、上部にシャワー用ホースを常時巻き上げ方向に巻取りトルクを発生させるゼンマイバネを取付けたドラムを有し、垂直にホースを引き出したり巻き上げ上昇させたりできて、またホースを手前に寄せて上昇させるとホースの上昇が固定されるロック機構を有するホース収納箱を設置し、その下部に支柱内に取付けた水圧シリンダー上部のブラケットに固定されたシャワーヘッド用フックのついたスライダーを設置し、支柱下部に取付けた水圧シリンダー用水路切替弁のハンドル操作にて、フックに掛けられたシャワーヘッドを上昇、停止、下降が任意にできることを特徴とするホース収納式シャワー装置。
【発明の詳細な説明】
【０００１】
【産業上の利用分野】本発明は、シャワー用ホースを上部収納箱より引出したり、巻取らせたりまた、フックに掛けられたシャワーヘッドを水路切替弁のハンドル操作により任意の位置に上下動を可能にし、フックからシャワーヘッドを外して必要量ホースを引き出した後にホースを手前に寄せて上昇させると、ホースの上昇は固定されその状態でシャワーが使用でき、ホース収納時は垂直にホースを下に引いた後上昇させれば自動的に収納箱内に巻き上げることのできるホース収納式シャワー装置に関するものである。
【０００２】
【従来の技術】浴室、シャワールーム等の壁面に固定した棒状のガイドバーに沿ってシャワーヘッドを上下に移動できるようにしたスライド式シャワーハンガーは実開昭６０−９１６５６号公報、特開平９−１００５６２号公報等に知られている。同公報に示されたスライド式シャワーハンガーは、いずれもスライドが手動式であるのと、シャワーホースが下部の方から上方に向っておりその先端にシャワーヘッドがありハンガーフックに掛けられている。
【０００３】従って、シャワーヘッドの高さを調節する際、中腰になったり立上ったりする動作が発生する。更にホースが下から立上っていると使用中に周囲の突起物例えば混合栓などにホースがからみ使い難い等の問題があった。
【０００４】
【発明が解決しようとする課題】そこで本発明は上記問題点を解消するため、シャワーヘッドの高さ調節や、ホースを必要量出したり収納したりを腰掛けたまま簡単に行なえ、快適に使用出来るシャワー装置とすることである。
【０００５】
【課題を解決するための手段】そのために本発明のホース収納式シャワー装置とし、浴室の壁面に支柱が上下方向に延在して固定され、上部にシャワー用ホースを常時巻上げ方向に巻き取りトルクを発生させるゼンマイバネを取付けたドラムを有し、垂直にホースを引き出したり巻上げ上昇させたりできて、またホースを手前に寄せて上昇させるとホースの上昇が固定されるロック機構を有するホース収納箱を設置し、その下部に支柱内に取付けた水圧シリンダー上部のブラケットに固定されたシャワーヘッド用フックのついたスライダーを設置し、支柱下部に取付けた水圧シリンダー用水路切替弁のハンドル操作にて、フックに掛けられたシャワーヘッドを腰掛けたままで上昇、停止、下降が任意にできるようにした。
【０００６】
【作用】このようにすると腰掛けたままで支柱下部に設置した水路切替弁のハンドル操作のみで、シャワー使用中でも好みの高さに調節することができ、またシャワーヘッドを手に持って使用する場合もホースが上から下っているため、下方の突起物に引かかることなく使い易くなる。
【０００７】
【実施例】以下本発明を実施例により図面を参照して説明する。図１は、本発明のホース収納式シャワー装置の外観斜視図であって、イはホース収納箱で支柱７の上部に位置し、ホース２を下部の穴より下方に取出してホースの先端にシャワーヘッド４を取付け、回転できるプーリー３を介してフック５にシャワーヘッド４を図のように掛け留めする。フック５は上下スライドできるように配したスライダー６に取付け、スライダー６は支柱７の内部に設置した水圧シリンダー外筒上部のブラケット３０と固定し、水圧により上下する水圧シリンダー外筒と共に上下動する構成とし、この水圧シリンダー上下動のための水流切替弁８を支柱の下部に設置し、９の操作ハンドルを反時計方向に廻して上昇に合わせるとシャワーヘッドは上昇、時計方向に廻して止に合わせると停止、下降に合わせると下降する。したがってハンドル９の操作により腰掛けたままの姿勢でシャワーヘッドを任意の位置に移動停止を可能にした。
【０００８】図２は、本発明のホース収納箱内部を示す正面図　図３は、本発明のホース収納箱内部を示す部分断面側面図であって、１１の箱に軸１４を取付けそれを支柱７と１３のボルトにて固定する。次に水封用Ｏリング１６が装着された軸１４に１５のホースドラムを遊合嵌合とし、ゼンマイバネ１７を１方を軸１４のａ、他方をホースドラム１５のｂに固定して取付け次にホース２を下部よりロック機構１９とガイドローラー２１、２０の間を図３に示すようにドラム１５の方向に通してホースニップル１８にホース先端を差込み接続し、図２、３のようにホースをホースドラム１５に巻きつける。ホースのもう一方の先端にシャワヘッドを取付け図１のプーリー３を介してフック５に掛け留めする。その後で蓋１２を取ける。
【０００９】シャワー水は、ホース収納箱１の２２ホースより軸１４の中央穴導入され、ホースドラムのｆ部に達し更にホースニップル１８を通ってホース２に達するようにした。ドラム１５が回転中でも水がホースの方へ供給されるが軸１４とドラム１５間の水封のため２本のＯリング１６を設けた。
【００１０】ホースは下方へ引けばドラム１５が回転してドラムに巻かれているホースが引き出されるが、常にゼンマイバネ１７により巻取方向にトルクが発生するようになし、ホースを上昇させるとその分ドラム１５に巻取られる。次にホースを任意の位置で巻取を停止させるため、ロック機構１９が取付けられており、ホース２を手前に寄せながら上昇させるとホースの上昇が固定されるようにした。ホース２を手前に寄せて上昇させるとホース２が歯付ローラーｄをロック機構１９の歯付レールｃに押し付け歯部を噛み合わせ、上昇させる。歯付レールｃは図の様に斜めになっており、歯付ローラーｄの上昇は即ち歯付ローラｄとガイドローラー２１の間でホースを狹み込みホースの上昇を止める。固定の解除は、ホースを垂直に下方に引くと歯付ローラーｄも下端まで下り歯付レールｃとの歯部の噛合が外れフリーとなりホースのロックは解除去れる。従ってホースは上昇できる様になる。
【００１１】図４は、該ホース収納式シャワー装置の側面図、図５はその平面図、図６はその正面図、図７はその背面図である。水圧シリンダーは内筒２４の下方より、２６の定荷重、定トルクバネをセットした水封Ｏリング３１を設けたフランジ３２を挿入してボルトにて取付固定し、内筒２４の内部より定荷重、定トルクバネを引き出して外筒２５の上部内部に取付けられている掛金具２８に２７のフックを掛け、外筒２５を内筒にかぶせ挿入する。内筒２４と外筒２５の水封は、内筒２４の上部に取付けたＯリング２９にて行なう。更に外筒２５の上部にはスライダー６を取付けるためのブラケット３０を取付ける。以上組上った水圧シリンダーを支柱の上部より挿入し支柱下部のフランジにボルト固定取付けをする。そしてフック５やプーリー３をセットしたスライダーを支柱の下部より図の向きで挿入し、ブラケット３０とボルトにて固定し水圧シリンダーの外筒の上下と共にスライダー６が支柱をガイドとして上下できるようにした。次に支柱下部に水路切替弁８を取付けた。支柱と切替弁の水封は３３、３４、のＯリングにて行なう。
【００１２】このようにしてセットされた水圧シリンダーは、図６のｇ部からの水により操作ハンドル９を反時計に廻して上昇に合わせるとシリンダー内に注水されその水圧により外筒２５やその上部にセットされたシャワーヘッドが上昇する。次に操作ハンドル９を時計方向に廻して止に合わせると注水が止められシリンダー上昇は停止、操作ハンドル９を更に時計方向に廻して下降に合わせると注水は止められたままでシリンダー内の水がｈ矢印の方向に排水される水路となり、シリンダー内にセットされた定荷重、定トルクバネ２６の外筒２５を引き下げる力によりシリンダー内の水が排水されながら下降する。操作ハンドルを反時計方向に廻して止に合わせると注水も、排水も止められシリンダーは停止する。したがって腰掛けたまま操作ハンドル９の操作によりシャワーヘッドを上昇、停止、下降と意のままに操作できるようにした。
シャワー水は、ｉ矢印部より供給し水路切替バルブ８内を通ってその先に取付けた水路管２３を通り、２２のＵ字を通ってホース収納箱内のホースに導き先端のシャワーヘッド４から放水できるようにした。
【００１３】以上説明した本発明に係るホース収納式シャワー装置は、上記実施例に限定されるものではなく図８に示すように支柱上部にホース収納箱を取付け、その下部の支柱部に複数個のフックを取付け、シャワヘッドを手掛けとする型式にすることもできることは云うまでもない。
【００１４】
【発明の効果】以上説明してきた本発明のホース収納式シャワー装置は、ホースを上から引き出して使用することにより下方にある突起体にホースが引っかかったりせず、大変使い易くなり、シャワーを使用しない時はホースが収納箱に収まりすっきりとまとまった。またシャワー使用中でも腰掛けたままシャワーヘッドを好みの高さにハンドル操作のみで移動でき高齢者、身体障害者、幼児にとっても安全かつ快適に使用できるようになった。
【図面の簡単な説明】
【図１】本発明のホース収納式シャワー装置の外観斜図。
【図２】本発明のホース収納箱内部を示す正面図。
【図３】本発明のホース収納箱内部を示す部分断面側面図。
【図４】本発明のホース収納式シャワー装置の側面図。
【図５】図６の平面図。
【図６】図４の正面図。
【図７】図６の背面図。
【図８】本発明のホース収納式シャワー装置の応用例外観斜視図。
【符号の説明】
１　ホース収納箱
２　ホース
３　プーリー
４　シャワーヘッド
５　フック
６　スライダー
７　支柱
８　水路切替弁
９　操作ハンドル
１０　ボルト
１１　ホース収納箱
１２　ホース収納箱蓋
１３　ボルト
１４　軸
１５　ドラム
１６　Ｏリング
１７　ゼンマイバネ
１８　ホースニップル
１９　ロック機構レール
２０　ガイドローラー
２１　ガイドローラー
２２　Ｕ字ホース
２３　水路管
２４　内筒
２５　外筒
２６　定荷重、定トルクバネ
２７　バネフック
２８　掛金具
２９　Ｏリング
３０　ブラケット
３１　Ｏリング
３２　フランジ
３３　Ｏリング
３４　Ｏリング
ａ　　ゼンマイバネ内側固定
ｂ　　ゼンマイバネ外側固定
ｃ　　ロック機構レール部
ｄ　　歯付ローラー
ｅ　　ローラーガイド
ｆ　　ドラム水溜部
ｇ　　シリンダー上昇注水方向矢印
ｈ　　リンダー内水排水方向矢印
ｉ　　シャワー水入口矢印
ｊ　　スライダーガイド長孔
【図１】
2004057792.tif 000003
【図２】
2004057792.tif 000004
【図３】
2004057792.tif 000005
【図４】
2004057792.tif 000006
【図５】
2004057792.tif 000007
【図７】
2004057792.tif 000008
【図８】
2004057792.tif 000009
【手続補正書】
【提出日】平成14年10月31日(2002.10.31)
【手続補正１】
【補正対象書類名】図面
【補正対象項目名】全図
【補正方法】変更
【補正の内容】
【図１】
2004057792.tif 000010
【図２】
2004057792.tif 000011
【図３】
2004057792.tif 000012
【図４】
2004057792.tif 000013
【図５】
2004057792.tif 000014
【図６】
2004057792.tif 000015
【図７】
2004057792.tif 000016
【図８】
2004057792.tif 000017